(57)【要約】【目的】現在普及している多種多数の携帯電話機に、携帯型のセンサ（チェッカー、測定器）を接続し、遠隔にある管理センタに、センサの測定データを簡単なボタン操作で送信できる携帯電話機を使用したセンサデータ送信方法を提供する。【構成】センサと接続される携帯電話機と、該携帯電話機と電子メールの送受信が可能な管理センタ間のセンサデータ送信方法であって、前記通信センタから前記携帯電話機宛に電子メールを送信し、当該電子メールを携帯電話機で受信し、当該電子メールを受信した携帯電話機に接続されるセンサで測定し、当該センサが測定した測定データを当該センサが接続される前記携帯電話機に転送して前記電子メールに対する返信メールに付加し、当該携帯電話機により、前記測定データが付加された前記返信メールを前記管理センタ宛に送信する。【選択図】  図３
2005303810.tif 000002
【特許請求の範囲】
【請求項１】
センサと接続される携帯電話機と、該携帯電話機と電子メールの送受信が可能な管理センタ間のセンサデータ送信方法であって、
前記通信センタから前記携帯電話機宛に電子メールを送信し、
当該電子メールを携帯電話機で受信し、
当該電子メールを受信した携帯電話機に接続されるセンサで測定し、
当該センサが測定した測定データを当該センサが接続される前記携帯電話機に転送して前記電子メールに対する返信メールに付加し、
当該携帯電話機により、前記測定データが付加された前記返信メールを前記管理センタ宛に送信すること、を特徴とする携帯電話機によるセンサデータ送信方法。
【請求項２】
前記センサは、前記測定データをキーエミュレーションにより前記返信メールの本文として前記携帯電話機に転送する請求項１記載の携帯電話機によるセンサデータ送信方法。
【請求項３】
前記センサは、前記測定データをキーエミュレーションにより前記返信メールの添付書類として前記携帯電話機に転送する請求項１記載の携帯電話機によるセンサデータ送信方法。
【請求項４】
前記センサおよび携帯電話機は複数組あり、前記管理センサは、各携帯電話機毎に前記送信メールおよび受信メールを管理する請求項１乃至３のいずれか一項記載の携帯電話機によるセンサデータ送信方法。
【発明の詳細な説明】
【技術分野】
【０００１】
本発明は、携帯電話機に接続して利用する各種モバイルセンサの携帯電話機によるセンサデータ送信方法に関するものである。特に、車両運転手が携帯して使用する酒気帯びチェッカー（検知器）や疲労チェッカー（検知器）などに適した携帯電話機によるセンサデータ送信方法に関する。
【背景技術】
【０００２】
近年携帯電話機の普及は目覚しく、日本国内においては１人１台の普及率に近づきつつある。このような中で、音声・映像以外の情報を取得する各種センサを携帯電話機に接続して利用しようとする動きがある。特に、車両運転手が携帯して、飲酒運転や過労運転を未然に防止するために利用する酒気帯びチェッカー（検知器、センサ）や疲労チェッカー（検知器、センサ）などが検討されている。
【０００３】
これらのチェッカー（センサ）は、普及数が限られるため、携帯電話機のデータ通信端子（外部接続端子）に接続して利用されるように設計製作されるのが通例である。その際、携帯電話機を利用して遠隔地にあるデータ管理センタ等に測定データを送信する場合には、前記のデータ通信端子（外部接続端子）を通じて、キーエミュレーション技術により、電子メールデータ（アドレス、サブジェクト、本文）を自動作成して、目的アドレスに自動送信するように設計製作することが通例である。
【発明の開示】
【発明が解決しようとする課題】
【０００４】
しかしながら、世の中で利用されている携帯電話機の機種は、大変に多く、電子メールデータの作成方法、手順等は、機種毎に異なっている現状がある。勿論、キーエミュレーション技術によって全ての携帯電話機機種に対応するように、前記チェッカー（センサ、測定器）を設計製作することも可能ではあるが、その手数は膨大である。また、特定の携帯電話機に対応する前記チェッカーのみを用意すれば、車両運転手に利用頂く際にチェッカーに合わせて携帯電話機を交換してもらう必要が生じるなどの不具合が生じる。さらに、市場に新規に登場する携帯電話機のメール作成手順がどのようなものになるかを全て予測し、それに対応したキーエミュレーションを設計製作することは、全くもって不可能である。
【０００５】
本発明は、現在普及している多種多数の携帯電話機に、携帯型のセンサ（チェッカー、測定器）を接続し、遠隔にある管理センタに、センサの測定データを簡単なボタン操作で送信できる携帯電話機を使用したセンサデータ送信方法を提供することを課題とする。
【課題を解決するための手段】
【０００６】
この課題を解決する本発明は、センサと接続される携帯電話機と、該携帯電話機と電子メールの送受信が可能な管理センタ間のセンサデータ送信方法であって、前記通信センタから前記携帯電話機宛に電子メールを送信し、当該電子メールを携帯電話機で受信し、当該電子メールを受信した携帯電話機に接続されるセンサで測定し、当該センサが測定した測定データを当該センサが接続される前記携帯電話機に転送して前記電子メールに対する返信メールに付加し、当該携帯電話機により、前記測定データが付加された前記返信メールを前記管理センタ宛に送信することに特徴を有する。
【０００７】
より実際的には、前記センサは、前記測定データをキーエミュレーションにより前記返信メールの本文として前記携帯電話機に転送する測定器は、測定データをキーエミュレーションにより前記携帯電話機に送信し、前記返信メールに付加する。また、測定データは、前記返信メールに本文として付加する。あるいは、前記センサは、前記測定データを前記測定データをキーエミュレーションにより前記返信メールの添付書類として前記携帯電話機に転送する。
【０００８】
通常、前記センサおよび携帯電話機は複数組あり、前記管理センサは、各携帯電話機毎に前記送信メールおよび受信メールを管理する。
【発明の効果】
【０００９】
本発明によれば、通信センタから送られてきた空メールに対して返信をする手順によってセンサ測定結果データを送信するので、通信センタのアドレスを入力するための携帯電話機のボタン操作が大幅に少なく、通常３０〜４０回程度は少なくて済む。しかも返信先アドレスは自動入力されるので、ボタン操作ミス等による返信先アドレスの入力間違いが生じない。さらに、携帯電話機の交換、新機種対応が可能となり、一種類の測定器、例えば酒気帯び検知器のプログラムのみを設計製作するだけでよいので、安価な酒気帯び検査を実施できる携帯電話機によるセンサデータ送信方法を提供することができる。
【００１０】
また、携帯電話機機種毎に異なる電子メールデータ（アドレス、サブジェクト、本文）の自動作成、目的アドレスに自動送信するためのセンサのプログラム開発の手間が大きく簡略化できるようになる。
【００１１】
さらに、携帯電話機を交換する際に、前記センサプログラムの変更は必要がないために、センサ自体は、そのまま継続して利用することができ、新しく市場に登場した携帯電話機に交換することも何ら問題を生じない。
【００１２】
これによって、センサ製作者は、センサ利用者の携帯電話機機種を考慮することなく販売、管理することが可能となる。
【発明を実施するための最良の形態】
【００１３】
以下、本発明の好適な実施形態につき図面を参照しながら説明する。図１は、本発明の実施形態である酒気帯び検査システムのシステム構成を示す概略図である。本システムは、通信センタのセンタシステム１０、例えばＰＣ（パーソナルコンピュータ）１１と、車両運転手が携帯する携帯電話機２０および測定器（酒気帯び検知器３０）と、それらが通信するインターネット網４０からなる。
【００１４】
図２（Ａ）は、酒気帯び検知器３０（測定器）の概要をより詳細に示している。酒気帯び検知器３０は、携帯電話機２０の外部接続端子２１と接続して測定データを通信する外部接続端子３１と、測定ボタン３２と、呼気を吹きかける呼気導入口３４を備えている。測定ボタン３２は、長押しで電源オン／オフ、電源オン状態で、短押しで測定開始、次の短押しで測定終了操作ができる。
【００１５】
さらに酒気帯び検知器３０の状態表示手段として、電源がオンしたときに点灯する電源ランプ３２ａ、アルコール測定が可能状態のときに点灯するＲｅａｄｙランプ３３ａ、測定が完了したときに点灯する測定完了ランプ３３ｂ、測定できなかったときに点灯する測定エラーランプ３３ｃを備えている。携帯電話機２０と酒気帯び検知器３０は、この酒気帯び検知器３０が測定したアルコール濃度データは、外部接続端子３１、２１を介して接続された携帯電話機２０からセンタシステム１０のＰＣ１１に電子メール（本文または添付書類）により返信される。
【００１６】
なお、この実施形態では外部接続端子３１、２１を直接接続されるが（図２（Ｂ）、通信ケーブル等を介して接続してもよい。
【００１７】
図３は、システムの操作手順中、被検者側の操作をフローチャートで示してある。図３において、（Ａ）は携帯電話機２０の操作の流れ、（Ｂ）は酒気帯び検知器３０の操作の流れである。センタシステム１０のいわゆるメーラーソフトには複数の被検者の携帯電話機２０のメールアドレスが登録されている。
【００１８】
まず、センタシステム１０から、検査依頼のための空メール（本文なし）を被検者である車両運転手の携帯電話機２０宛発信する。被検者は、センタシステム１０から酒気帯び検査依頼メール（空メール）を携帯電話機２０が受信したことを画面２２の表示で確認した後（Ｓ１１）、酒気帯び検査を開始する。
【００１９】
被検者は、酒気帯び検知器３０と携帯電話機２０を接続し（Ｓ３１）、酒気帯び検知器３０の測定ボタン３２を長押しして電源をオンし（Ｓ２１）、測定可能状態になるまで待つ。この間、被検者は、携帯電話機２０のボタン（キー）２３を操作し、先程届いた検査依頼メール（空メール）に対して返信を書くようにボタン２３を操作する（Ｓ１２）。この際、送信宛先（アドレス）は、返信メール作成であるから検査依頼メールが発出されたセンタシステム１０のアドレスが自動入力されている。また、題名（サブジェクト）は、検査依頼メールの題名が［Ａｌｃｏｈｏｌ  Ｃｈｅｃｋ］であれば、Ｒｅ：［Ａｌｃｏｈｏｌ  Ｃｈｅｃｋ］となっているので、入力の必要がない。そして、本文の入力画面にまで操作を進めたところで待機する（Ｓ１３）。なお、酒気帯び検知器３０と携帯電話機２０の接続（Ｓ３１）は、Ｓ１４、Ｓ２４の処理前に完了していればよく、予め接続しておいてもよい。
【００２０】
一方、電源がオンした酒気帯び検知器３０は、ヒートクリーニング、バックグラウンド測定を完了し、呼気吹き込み待ちの状態になり、Ｒｅａｄｙランプ３３ａを点灯する。被検者は、Ｒｅａｄｙランプ３３ａの点灯を見て、測定可能状態になったことを認識する。この後、被検者は、測定ボタン３２をオン操作し（Ｓ２２）呼気導入口３４に向かって呼気を吹きかけ酒気帯び検査を実施する（Ｓ２３）。
【００２１】
測定が終了すると測定完了ランプ３３ｂが点灯するので、測定完了ランプ３３ｂが点灯した後に、被検者は測定ボタン３２を押す（Ｓ２４）。測定完了後に測定ボタン３２が押されると、これはキーエミュレーション開始ボタンとして機能する。つまり、本文入力待ち（本文入力画面で待機）になっている携帯電話機２０に外部接続端子３１、２１を通じて、酒気帯び検査測定データがキーエミュレーションによって自動的に入力される。被検者は、携帯電話機２０の画面２２の表示により本文に酒気帯び検査結果が入力されたことを確認した後、携帯電話機２０の本文確定ボタンを操作して返信メールを完成し（Ｓ１４）、メール送信操作をして（Ｓ１５）、この携帯電話機２０からこの検査結果データの入った電子メールを送信する（Ｓ１６）。その後被検者は、測定ボタン３２を長押しして、酒気帯び検知器３０の電源をオフする。
【００２２】
インターネット網４０を経由して伝送された電子メールは、センタシステム１０（ＰＣ１１）によって受信、表示され、酒気帯び検査の一連の手順が完了する。センタシステム１０のオペレータは、ＰＣ１１で受信した電子メールを開き、測定データを判定し、判定結果に応じた処理をする。また、受信した検査結果データは、データベースとして蓄積することも、印刷することもできる。
【００２３】
図４には、酒気帯び検知器（センサ）３０の構成を示した。全体の動作を統括的に制御する制御モジュール３５と、アルコール濃度を測定するセンサモジュール３６が内蔵されている。制御モジュール３５は、内蔵ＲＯＭに書き込まれたセンサ制御プログラム、メール送信プログラムおよびこれらのプログラムを実行するマイコンを備えている。この制御モジュール３５は、電源管理機能も備えている。センサモジュール３６は、呼気導入口３４に臨むガスセンサと、ガスセンサを制御してアルコール濃度を電気的信号に変換して出力するガス信号検出回路を内蔵している。ガス信号検出回路から出力されたアナログの信号は、制御モジュール３５においてＡ／Ｄ変換されて呼気測定データとされる。
【００２４】
さらにセンサモジュール３６は、流速計（風速／風量／風圧センサ）を備え、流速計が一定速以上の流速を所定時間継続したことを検知しなかったときは、制御モジュール３５は測定失敗とし、測定エラーランプ３３ｃを点灯して被検者に測定できなかったことを知らせるとともに、再度呼気を吹きかけることを促し、再測定する機能を備えることが望ましい。
【００２５】
この酒気帯び検知器３０は、次のように動作する。測定ボタン３２が長押しされると、制御モジュール３５は図示しない内蔵のバッテリからの電源により起動し、センサモジュール３６を起動させるともに、電源ランプ３２ａを点灯させる。制御モジュール３５は、ヒートクリーニング、バックグラウンド測定を実施し、これらのウオーミングアップ処理が完了すると、Ｒｅａｄｙランプ３３ａを点灯させて、測定可能であることを使用者に知らせる。Ｒｅａｄｙランプ３３ａが点灯した状態で測定ボタン３２がオン操作されると、制御モジュール３５は、センサモジュール３６に測定動作を開始させ、センサモジュール３６から測定値を入力し、アルコール濃度を数値化して呼気測定データを生成し、測定完了ランプ３３ｂを点灯させる。その後、測定ボタン３２がオン操作されると制御モジュール３５は、呼気測定データを電子メール本文に変換し、外部接続端子３１、２１を介して携帯電話機２０に転送し、キーエミュレーションにより電子メール本文として入力する。
【００２６】
制御モジュール３５は、測定ボタン３２がオン操作される毎に、測定、転送処理を実行し、測定ボタン３２が長押しされると、電源をオフしてスリープ状態に移行する。さらに制御モジュール３５は、測定終了後、所定時間測定ボタン３２がオン操作されなかったら、自動的に、電源をオフして測定データをクリアし、スリープ状態に移行することが好ましい。
【００２７】
以上の実施形態ではセンサ（チェッカー）として酒気帯び検知器３０を使用したが、本発明のシステムに使用できるセンサは酒気帯び検知器３０に限定されず、疲労チェッカーなど種々のチェッカー、測定器、検知器を使用できる。
【図面の簡単な説明】
【００２８】
【図１】本発明のセンサデータ送信方法を酒気帯び検査システムに適用した実施形態のシステム構成を示す概略図である。
【図２】本実施形態で使用される携帯電話機および酒気帯び検知器（測定器）の概要を示す図であって、（Ａ）は酒気帯び検知器を示す正面図、（Ｂ）は携帯電話機と酒気帯び検知器とを接続する様子を説明する図である。
【図３】酒気帯び検査システムの操作手順を示す図であって、（Ａ）は携帯電話機の操作を示す図、（Ｂ）は酒気帯び検知器の操作を示す図である。
【図４】酒気帯び検知器（センサ）の実施形態の構成を示す図である。
【符号の説明】
【００２９】
１０      センタシステム
１１      ＰＣ
２０      携帯電話機
２１      外部接続端子
２２      画面
２３      ボタン
３０      酒気帯び検知器（測定器）
３２      測定ボタン
３２ａ    電源ランプ
３３ａ    Ｒｅａｄｙランプ
３３ｂ    測定完了ランプ
３３ｃ    測定エラーランプ
３４      呼気導入口
【図１】
2005303810.tif 000003
【図２】
2005303810.tif 000004
【図３】
2005303810.tif 000005
【図４】
2005303810.tif 000006